(57)【特許請求の範囲】
【請求項１】
ブレード取付枠（２２）と、
前記ブレード取付枠（２２）に対して直線的に動かすことが可能なブレード台（４６）と、
前記ブレード台（４６）に固定される静止ブレード（１８）と、
前記静止ブレード（１８）に対して直線的に往復スライド可能なように構成されかつ配置され、カット方向（Ｃ）に往復運動する可動ブレード（２０）と、
少なくとも１つのカム型突出部（７０）を備え、カット方向（Ｃ）に平行に設けられ、軸が回転自在に前記ブレード取付枠（２２）に取り付けられるオフセット棒（５８）と、
前記ブレード取付枠（２２）に保持されるオフセット棒（５８）に係合する少なくとも１つのループ部（９２）を備えるねじりばね（９０）と、
が備えられ、
前記カム型突出部（７０）は、前記オフセット棒（５８）の軸の回転によって、前記ブレード台（４６）および前記静止ブレード（１８）が前記可動ブレード（２０）に対して、カット方向（Ｃ）と交差する方向に動くように構成されかつ配置されることを特徴とするヘアトリマーのブレードセット。
【請求項２】
前記オフセット棒（５８）は、前記カム型突出部（７０）の間の位置で、前記ねじりばね（９０）の前記ループ部（９２）に係合することを特徴とする請求項１に記載のヘアトリマーのブレードセット。
【請求項３】
前記ねじりばね（９０）は、前記可動ブレード（２０）に取り付けられるカムフォロワー（７４）に係合する少なくとも一つの開放端（８８）を有することを特徴とする請求項１に記載のヘアトリマーのブレードセット。
【請求項４】
前記カムフォロワー（７４）は、カット方向（Ｃ）と平行に延びるガイドトラック（７２）を有し、
前記ブレード取付枠（２２）には、前記ガイドトラック（７２）にスライドして係合するガイド構造物（７６）を有する少なくとも一つのガイドアーム（４０）が備えられることを特徴とする請求項３に記載のヘアトリマーのブレードセット。
【請求項５】
前記ガイドトラック（７２）は、垂直に突き出た対のレール（７３）をもち、前記ガイドアーム（４０）はそれぞれ前記レール（７３）の間の前記ガイドトラック（７２）にスライドして係合するガイド構造物（７６）としての突起を有することを特徴とする請求項４に記載のヘアトリマーのブレードセット。
【請求項６】
前記ガイドアーム（４０）は、前記ブレード取付枠（２２）の前端（３８）から突出していることを特徴とする請求項４に記載のヘアトリマーのブレードセット。
【請求項７】
前記ブレード台（４６）は、前記オフセット棒（５８）を収容するための棒収容部（５６）を有し、前記ブレード取付枠（２２）の溝（９８）に係合する前記ブレード台（４６）上のリブ（９６）によって、前記ブレード取付枠（２２）にスライドして留められることを特徴とする請求項１に記載のヘアトリマーのブレードセット。
【請求項８】
前記ブレード取付枠（２２）に対する前記オフセット棒（５８）の回転を可能にするため、前記オフセット棒（５８）のレバー部（６２）に留められるレバー（６８）をさらに含むことを特徴とする請求項１に記載のヘアトリマーのブレードセット。
【請求項９】
前記ブレード取付枠（２２）は、対のバネ用スロット（３２）を有し、前記バネ用スロット（３２）は、前記ねじりばね（９０）のループ部（９２）を受容し、前記ねじりばね（９０）は、前記ループ部（９２）が前記オフセット棒（５８）によって係合するために前記ブレード取付枠（２２）に対して押し下げられることを特徴とする請求項１に記載のヘアトリマーのブレードセット。
【請求項１０】
前記オフセット棒（５８）は、軸の回転により第一の位置と第二の位置にでき、前記可動ブレード（２０）に対し、カット方向（Ｃ）と交差する方向に、前記静止ブレード（１８）を０．５ｍｍ動かせることを特徴とする請求項１に記載のヘアトリマーのブレードセット。
【請求項１１】
前記オフセット棒（５８）は、前記可動ブレード（２０）に対し、前記静止ブレード（１８）のカット方向（Ｃ）に交差する方向にスライドさせる前記カム型突出部（７０）を有し、前記ブレード取付枠（２２）に前記ねじりばね（９０）が保持されることを特徴とする請求項１に記載のヘアトリマーのブレードセット。
【請求項１２】
前記オフセット棒（５８）は、バネ着脱位置（９５）によって分けられた軸方向に間隔をおいた前記カム型突出部（７０）を少なくとも二つ含むことを特徴とする請求項１１に記載のヘアトリマーのブレードセット。
【請求項１３】
カット方向（Ｃ）に平行に伸びるガイドトラック（７２）を有するカムフォロワー（７４）が備えられ、
前記静止ブレード（１８）に対する前記可動ブレード（２０）の位置合わせを維持するため、前記ブレード取付枠（２２）には、前記ガイドトラック（７２）にスライドして係合する少なくとも一つのガイド構造物（７６）を有する少なくとも一つのガイドアーム（４０）が備えられることを特徴とする請求項１に記載のヘアトリマーのブレードセット。
【請求項１４】
前記ガイドトラック（７２）は、垂直に突き出たレール（７３）の対を有し、前記ガイドアーム（４０）は、前記レール（７３）の間の前記ガイドトラック（７２）にスライドして係合するガイド構造物（７６）としての突起を有することを特徴とする請求項１３に記載のヘアトリマーのブレードセット。
【発明の詳細な説明】
【技術分野】
【０００１】
本発明は、ヘアトリマーのブレードセットに係り、より詳細には、改良されたヘアトリマーのブレードセットに関する。
【背景技術】
【０００２】
従来のヘアカット装置は、ブレードセットと係合するオフセットカムをもつ出力軸を備える電気モータを有する。ブレードセットは、静止ブレードに対して直線的に往復運動するように構成される可動ブレードを備える。静止ブレードと可動ブレードは、互いにかみ合う歯を備え、静止ブレードに対する可動ブレードの相対的な動きは、ハサミのような切断動作を作り出す。ブレードセットは通常、洗浄、刃研ぎやその他のメンテナンスのために装置から取り外し可能である。従来のヘアカット装置のブレードセットは、例えば米国特許第５０６８９６６号に開示されている。ヘアクリッパーは通常、より強力で散髪の主要部分に使用され、比較的大きいカッティングを行なう。一方、ヘアトリマーは、顎ひげや口ひげなどのトリミングに使用される。ヘアトリマーのブレードセットは、多くの場合、ヘアクリッパーのブレードセットよりすべての寸法が小さい。
【０００３】
ヘアトリマーのブレードセットの１つの問題はカッティング作業中、往復経路全体に亘って静止ブレードに対する可動ブレードの位置合わせを維持することである。可動ブレードのずれはカッティングの失敗または傷を引き起こす可能性があるからである。
【０００４】
ヘアトリマーのブレードセットの直面する他の問題は、皮膚の近くまたは皮膚から少し離れてひげなどをカットするため、静止ブレードの歯に対して可動ブレードの歯の先端位置を前後方向（カット方向と交差する方向）に動かす能力を提供することである。この特徴はヘアクリッパーのブレードセットでは共通であるが、これまでヘアトリマーのブレードセットのような小型の装置では達成することが困難であった。上記で特定された問題に対処できるヘアトリマーのブレードセットが望まれる。
【先行技術文献】
【特許文献】
【０００５】
【特許文献１】米国特許第５０６８９６６号明細書
【発明の概要】
【発明が解決しようとする課題】
【０００６】
本発明の目的は、静止ブレードと可動ブレードの位置合わせが維持でき、静止ブレードの歯をカット方向（Ｃ）と交差する方向に動かせるヘアトリマーのブレードセットを提供することにある。
【課題を解決するための手段】
【０００７】
本発明によるヘアトリマーのブレードセットは、ブレード取付枠（２２）と、前記ブレード取付枠（２２）に対して直線的に動かすことが可能なブレード台（４６）と、前記ブレード台（４６）に固定される静止ブレード（１８）と、前記静止ブレード（１８）に対して直線的に往復スライド可能なように構成されかつ配置され、カット方向（Ｃ）に往復運動する可動ブレード（２０）と、少なくとも１つのカム型突出部（７０）を備え、カット方向（Ｃ）に平行に設けられ、軸が回転自在に前記ブレード取付枠（２２）に取り付けられるオフセット棒（５８）と、前記ブレード取付枠（２２）に保持されるオフセット棒（５８）に係合する少なくとも１つのループ部（９２）を備えるねじりばね（９０）と、が備えられ、前記カム型突出部（７０）は、前記オフセット棒（５８）の軸の回転によって、前記ブレード台（４６）および前記静止ブレード（１８）が前記可動ブレード（２０）に対して、カット方向（Ｃ）と交差する方向に動くように構成されかつ配置されることを特徴とする。
【０００９】
前記オフセット棒（５８）は、前記カム型突出部（７０）の間の位置で、前記ねじりばね（９０）の前記ループ部（９２）に係合することを特徴とする。
【００１０】
前記ねじりばね（９０）は、前記可動ブレード（２０）に取り付けられるカムフォロワー（７４）に係合する少なくとも一つの開放端（８８）を有することを特徴とする。
【００１１】
前記カムフォロワー（７４）は、カット方向（Ｃ）と平行に延びるガイドトラック（７２）を有し、前記ブレード取付枠（２２）には、前記ガイドトラック（７２）にスライドして係合するガイド構造物（７６）を有する少なくとも一つのガイドアーム（４０）が備えられることを特徴とする。
【００１２】
前記ガイドトラック（７２）は、垂直に突き出た対のレール（７３）をもち、前記ガイドアーム（４０）はそれぞれ前記レール（７３）の間の前記ガイドトラック（７２）にスライドして係合するガイド構造物（７６）としての突起を有することを特徴とする。
【００１３】
前記ガイドアーム（４０）は、前記ブレード取付枠（２２）の前端（３８）から突出していることを特徴とする。
【００１４】
前記ブレード台（４６）は、前記オフセット棒（５８）を収容するための棒収容部（５６）を有し、前記ブレード取付枠（２２）の溝（９８）に係合する前記ブレード台（４６）上のリブ（９６）によって、前記ブレード取付枠（２２）にスライドして留められることを特徴とする。
【００１５】
前記ブレード取付枠（２２）に対する前記オフセット棒（５８）の回転を可能にするため、前記オフセット棒（５８）のレバー部（６２）に留められるレバー（６８）をさらに含むことを特徴とする。
【００１６】
前記ブレード取付枠（２２）は、対のばね用スロット（３２）を有し、前記ばね用スロット（３２）は、前記ねじりばね（９０）のループ部（９２）を受容し、前記ねじりばね（９０）は、前記ループ部（９０）が前記オフセット棒（５８）によって係合するために前記ブレード取付枠（２２）に対して押し下げられることを特徴とする。
【００１７】
前記オフセット棒（５８）は、軸の回転により第一の位置と第二の位置にでき、前記可動ブレード（２０）に対し、カット方向（Ｃ）と交差する方向に、前記静止ブレード（１８）を０．５ｍｍ動かせることを特徴とする。
【００１８】
前記オフセット棒（５８）は、前記可動ブレード（２０）に対し、前記静止ブレード（１８）のカット方向（Ｃ）に交差する方向にスライドさせる前記カム型突出部（７０）を有し、前記ブレード取付枠（２２）に前記ねじりばね（９０）が保持されることを特徴とする。
【００１９】
前記オフセット棒（５８）は、バネ着脱位置（９５）によって分けられた軸方向に間隔をおいた前記カム型突出部（７０）を少なくとも二つ含むことを特徴とする。
【００２０】
カット方向（Ｃ）に平行に伸びるガイドトラック（７２）を有するカムフォロワー（７４）が備えられ、前記静止ブレード（１８）に対する前記可動ブレード（２０）の位置合わせを維持するため、前記ブレード取付枠（２２）には、前記ガイドトラック（７２）にスライドして係合する少なくとも一つのガイド構造物（７６）を有する少なくとも一つのガイドアーム（４０）が備えられることを特徴とする。
【００２１】
前記ガイドトラック（７２）は、垂直に突き出たレール（７３）の対を有し、前記ガイドアーム（４０）は、前記レール（７３）の間の前記ガイドトラック（７２）にスライドして係合するガイド構造物（７６）としての突起を有することを特徴とする。
【００２２】
以下に、本発明の概要を述べる。
本発明のブレードセット（１６）には、静止ブレード（１８）に対して可動ブレード（２０）をガイドするカムフォロワー（７４）が取り付けられる。一方、ブレード取付枠（２２）にはガイドアーム（４０）が設けられ、ガイドアーム（４０）がスライド可能にカムフォロワー（７４）に係合される。これにより、可動ブレード（２０）の往復スライド運動が可能とされ、可動ブレード（２０）と静止ブレード（１８）の間の位置合わせが維持される。
【００２３】
本発明のブレードセット（１６）の他の特徴は、オフセット棒（５８）がブレード取付枠（２２）に取り付けられ、使用者がレバー（６８）を操作することにより、オフセット棒（５８）が、その軸回りに回転される。オフセット棒（５８）にはカム型突出部（７０）があり、可動ブレード（２０）に対する静止ブレード（１８）の位置を調整できる。オフセット棒（５８）の回転は、ブレード台（４６）および静止ブレード（１８）をカット方向（Ｃ）と交差する方向に動かす。
【００２４】
本発明のブレードセット（１６）のさらに別の特徴は、オフセット棒（５８）には、可動ブレード（２０）を押える力を加えるために使用されるねじりばね（９０）が取り付けられる。ねじりばね（９０）は、ブレード取付枠（２２）のスロットに圧力下に挿入さる。オフセット棒（５８）は、ねじりばね（９０）のループ部（９２）に係合される。ねじりばね（９０）の自由端は、カムフォロワー（７４）に係合しており、可動ブレード（２０）を押え合せて静止ブレード（１８）も押える。
【発明の効果】
【００２５】
本発明のヘアトリマーのブレードセットによれば、静止ブレードと可動ブレードの位置合わせが維持でき、静止ブレードの歯を前後方向に動かすことができる。
【図面の簡単な説明】
【００２６】
【図１】本発明によるブレードセットを備えるヘアトリマーの斜視図である。
【図２】本発明によるブレードセットの斜視図である。
【図３】図２のブレードセットの分解斜視図である。
【図４】図１の線４−４に沿ったヘアトリマーの縦断面図である。
【図５】オフセット棒の斜視図である。
【図６】ねじりばねに係合するオフセット棒の斜視図である。
【図７】ブレード台に係合するオフセット棒の斜視図である。
【図８】第一の位置にあるブレードセットの部分拡大断面図である。静止ブレードの歯の先端と可動ブレードの歯の先端を示す。
【図９】第二の位置にあるブレードセットの部分拡大断面図である。可動ブレードの歯の先端に対して静止ブレードの歯の先端がカット方向Ｃと交差する方向にスライドしていることを示す。
【図１０】図４の線９−９に沿った縦断面図である。
【発明を実施するための形態】
【００２７】
以下、図面を参照して、本発明によるヘアトリマーのブレードセットについて詳しく説明する。
【実施例】
【００２８】
図１は、本発明によるブレードセットを備えたヘアトリマーの斜視図である。図１に示すように、ブレードセット１６を備えたヘアトリマー１０が示される。ブレードセット１６は筺体１２の操作端部１４に装着される。当該分野で知られているように、ブレードセット１６は、静止ブレード１８と、静止ブレード１８に対してスライドし往復直線運動を行なう可動ブレード２０とを含み、これにより所望の切断動作を行なう。静止ブレード１８に対する可動ブレード２０の動く方向をカット方向とする。ブレードセット１６は、洗浄、静止ブレード１８、可動ブレード２０の研磨、およびその他の部品の整備のために、着脱可能に操作端部１４に装着される。
【００２９】
図２は、本発明によるブレードセット１６の斜視図である。図３は、図２のブレードセット１６の分解斜視図である。図２および図３に示すように、ブレードセット１６は、フロア２６が一体成型された外殻２４をもつブレード取付枠２２を含む。外殻２４の内壁２８は、ブレードセット１６を適切な位置に保持するため、ヘアトリマー１０の操作端部１４に取り付けるための接続構造部３０を少なくとも一つ、好ましくは複数を有する。少なくとも一つ、好ましくは対のばね用スロット３２がフロア２６に形成される。フロア２６は、外殻２４を上部チャンバ３４および下部チャンバ３６へ分ける。フロア２６の前端３８は、以下に詳細を示すように、少なくとも一つ、好ましくは対のガイドアーム４０を持つ。また、外殻２４には向かい合った開口部４２の対がある。そして少なくともその一つが横に延長されレバー受け入れ部４４とされる。
【００３０】
ブレードセット１６は、ブレード台４６を含む。可動ブレード２０の動く方向を図２の符号Ｃで示すカット方向とする。ブレード台４６は、ブレード取付枠２２に対して直線的にスライドさせることができ、カット方向Ｃと交差する方向（前後方向）に動かすことができる。ブレード台４６に含まれるものとして、少なくとも一つのソケット４８があり、ねじが切られた挿入片５０を収容するように配置される。挿入片５０はそれぞれブレードネジ５２を受け、対応する静止ブレード１８の留め具穴５４へと通過する。このように、静止ブレード１８は共通した動作のため、ブレード台４６へと留められる。
【００３１】
ブレード台４６は棒収容部５６を含む。棒収容部５６は、ソケット４８よりもさらに静止および可動ブレード１８、２０から離れた場所にある。棒収容部５６は、複数のリブ５７が設けられ、一つの開口部４２からもう一つの開口部へブレード取付枠２２を少なくとも貫通する長さのオフセット棒５８を回転しながら収容するような寸法をもつ。オフセット棒５８の一端である棒端６０には、開口部４２の直径よりも比較的大きな直径のつまみまたはキャップが設けられ、オフセット棒５８が開口部４２を完全に通過してしまうのを防ぐ。オフセット棒５８の他端側のレバー部６２は、レバー６８を留める留め具６６を受けるため、外面が円形ではない穴６４を持つ。レバー６８の回転は、棒収容部５６のオフセット棒５８の回転を引き起こす。オフセット棒５８は、カット方向（Ｃ）に平行に設けられ、軸が回転自在にブレード取付枠２２の開口部４２に取り付けられる。
【００３２】
図５は、オフセット棒５８の斜視図である。図７は、ブレード台４６に係合するオフセット棒５８の斜視図である。図３、図５および図７に示すように、オフセット棒５８は、軸に対して同じ方向にそれぞれ伸びる、少なくとも一つの好ましくは三つのカム型突出部７０を持つ。レバー６８が第一の方向に回転すると、可動ブレード２０に対して静止ブレード１８を動かす。レバー６８が第二の方向に回転するときは、可動ブレード２０に対して静止ブレード１８を反対の方向に動かす。この動作のためにカム型突出部７０が使用される。
【００３３】
図４は、図１の線４−４に沿ったヘアトリマー１０の縦断面図である。図２、図３および図４に示すように、ガイドアーム４０は、カムフォロワー７４のレール７３の垂直に突き出て間隔を開けた２つのＵ字形のガイドトラック７２をガイドする。ガイドアーム４０の内溝７５は、ガイドトラック７２のスライド移動を収容できる隙間を提供する。ガイドアーム４０のガイド構造物７６を突起で構成することで、ガイドトラック７２を十分に満たし、トラックの動作をスライドして収容するよう十分な隙間をもち、そしてトリマー操作中に静止ブレード１８に対してカムフォロワー７４と可動ブレード２０の適切な調整を提供する。電気ヘアクリッパー分野では、カムフォロワー７４は、駆動カム８０を受けるための寸法のスペース７８のために構成かつ配置された、略垂直に突起する駆動タブ７７の対（図４参照）を含む。モータ８２によって誘導される駆動カム８０の回転が、カムフォロワー７４を直線的に往復運動させる。カムフォロワー７４は、可動ブレード２０に留められるので、可動ブレード２０は、静止ブレード１８に対して相対的に往復運動し、所望の切断動作を引き起こす。カムフォロワー７４は、可動ブレード２０のスロット８５に一致して係合する独立した凸部８４を含む（図４、図８、図９参照）。他の凸部の対（表示せず）は、当技術分野で知られているように、可動ブレード２０のさらなる安定化のためスロット８５の両側のそれぞれ二つのスロット８６と係合する。
【００３４】
さらにカムフォロワー７４に含まれるものは、少なくとも一つ、好ましくは二つのばね固定具８７であり、ねじりばね９０の開放端８８を開放可能なように留めるようそれぞれ構成され、保持ばねと呼ばれる。ねじりばね９０は、静止ブレード１８に逆らって可動ブレード２０を支えるカムフォロワー７４に下向きの圧力を加える。
【００３５】
図６は、ねじりばね９０に係合するオフセット棒５８の斜視図である。図２、図３および図６に示すように、ブレードセット１６のねじりばね９０のもう一つの機能は、ブレード取付枠２２内の適切な位置にオフセット棒５８を保持することである。その結果、ねじりばね９０は、Ｕ型のブリッジ部９４によって間隔をおいたループ部９２の対を含む。ループ部９２は、ブレード取付枠２２のフロア２６のばね用スロット３２へスライドする寸法である。ブレードセット１６が組み立てられると、ねじりばね９０のループ部９２が、ばね用スロット３２内に配置され、開放端８８がカムフォロワー７４に係合される。この時点では、ねじりばね９０は、開口部４２に整合していない。
【００３６】
インストラーを使用して、ブレード取付枠２２の開口部４２と整合するようループ部９２を配置し、ねじりばね９０に下向きに圧力をかける。ループ部９２と開口部４２を整合させた上で、オフセット棒５８を開口部４２に挿入し、バネ着脱位置９５がループ部９２に係合する。オフセット棒５８が完全に挿入されると、留め具６６を使用してレバー６８を固定する。このようにオフセット棒５８は、ねじりばね９０のループ部９２内に係合させ、操作可能にブレード取付枠２２に取り付けられる。
【００３７】
図１０は、図４の線９−９に沿った縦断面図である。図３および図１０に示すように、ブレード台４６は、ブレード取付枠２２の細長い溝９８へスライドして係合する、ブレード台４６の側面に突き出たリブ９６によって、ブレード取付枠２２にスライドして留められる。使用者がレバー６８を作動させ、ブレード取付枠２２に設けられたオフセット棒５８を回転させると、ブレード台４６のリブ５７と台表面部１００が、オフセット棒５８のカム型突出部７０に係合し、それにより、静止ブレード１８をカット方向Ｃと交差する方向に動かす。すなわち、オフセット棒５８は、ブレード取付枠２２に取り付けられ、ブレード台４６の棒収容部５６に装着されるので、例えばオフセット棒５８のカム型突出部７０をブレード台４６の台表面部１００に係合させることにより、静止ブレード１８を可動ブレード２０から離すようにスライドできる。
【００３８】
図８は、第一の位置にあるブレードセット１６の部分拡大断面図である。静止ブレード１８の歯の先端１０４と可動ブレード２０の歯の先端１０２を示す。図８に示すように、可動ブレード２０の歯の先端１０２は、対応する静止ブレード１８の歯の先端１０４へぴったりと重なる。このような歯の位置によれば、ヘアトリマー１０の使用者は、輪郭取りのカッティングや、カット端を必要とする鋭利なカッティングができる。この位置は歯の先端１０２、１０４の方向を指すレバー６８（図１に示される）によって達成される。この位置は、ブレード台４６がブレード取付枠２２の後方最大の位置にあって、可動ブレード２０の歯の先端１０２からは一番離れた位置にある。
【００３９】
図９は、第二の位置にあるブレードセット１６の部分拡大断面図である。可動ブレード２０の歯の先端１０２に対して静止ブレード１８の歯の先端１０４がカット方向Ｃと交差する方向（前方）に動かせることを示す。図９では、レバー６８およびオフセット棒５８は、歯の先端１０２、１０４が離れるように、最大限回転される。この位置では、歯の先端１０４は歯の先端１０２から距離Ｄだけ伸びる。距離Ｄを作り出す図８と図９の間の動きは約０．５ｍｍ（０．０２インチ）であるが、その大きさは使用目的に応じて変更できる。
【００４０】
このように、ブレードセット１６は、カムフォロワー７４のガイドの改良や、それに応じた静止ブレード１８に対する可動ブレード２０の改良を含む。従来のトリマーブレードセットと比較して改良された特徴を有する。そして、オフセット棒５８とねじりばね９０の構造上の連携は、ブレード取付枠２２内の両方の部品の保持力を高める。
【００４１】
本発明によるヘアトリマーのブレードセットは、上記の実施例に限られるものではなく、変更および修正がなされ得ることは明らかである。
【産業上の利用可能性】
【００４２】
本発明のヘアトリマーのブレードセットは、顎ひげや口ひげなどのトリミングに好適である。
【符号の説明】
【００４３】
１０    ヘアトリマー
１２    筺体
１４    操作端部
１６    ブレードセット
１８    静止ブレード
２０    可動ブレード
２２    ブレード取付枠
２４    外殻
２６    フロア
２８    内壁
３０    接続構造部
３２    ばね用スロット
３４    上部チャンバ
３６    下部チャンバ
３８    前端
４０    ガイドアーム
４２    開口部
４４    レバー受け入れ部
４６    ブレード台
４８    ソケット
５０    挿入片
５２    ブレードネジ
５４    留め具穴
５６    棒収容部
５７    リブ
５８    オフセット棒
６０    棒端
６２    レバー部
６４    穴
６６    留め具
６８    レバー
７０    カム型突出部
７２    ガイドトラック
７３    レール
７４    カムフォロワー
７５    内溝
７６    ガイド構造物（突起）
７７    駆動タブ
７８    スペース
８０    駆動カム
８２    モータ
８４    凸部
８５    スロット
８６    スロット
８７    ばね固定具
８８    開放端
９０    ねじりばね
９２    ループ部
９４    ブリッジ部
９５    バネ着脱位置
９６    リブ
９８    溝
１００    台表面部
１０２    歯の先端
１０４    歯の先端
【図１】
0006652870.tif 000002
【図２】
0006652870.tif 000003
【図３】
0006652870.tif 000004
【図４】
0006652870.tif 000005
【図５】
0006652870.tif 000006
【図６】
0006652870.tif 000007
【図７】
0006652870.tif 000008
【図８】
0006652870.tif 000009
【図９】
0006652870.tif 000010
【図１０】
0006652870.tif 000011